(57)【要約】【課題】  ＵＶを用いたネールアート装置、システム及び方法の提供。【解決手段】  ネールアート装置は、制御部と、ホルダーと、制御部の制御下で所定の選択パターンを表示する表示パネルと、表示パネルにＵＶを照射するＵＶ照射部と、を備える。ホルダーにＵＶ反応成分入りマニキュアを爪に塗布した指が載置される場合、爪に塗布されたマニキュアは、選択パターンが表示された表示パネルを透過して伝達されるＵＶに反応してネールパターンを形成する。ネールアートシステムは、このようなネールアート装置と、ユーザが複数のパターンのうちのいずれか一つを選択するように照会機能及び選択機能を提供し、ネールアート装置に接続してユーザの選択に伴うパターン情報を送信するユーザ機器と、を備える。【選択図】  図１
2015521078.tif 000002
【特許請求の範囲】
【請求項１】
制御部と、
ホルダーと、
前記制御部の制御下で所定の選択パターンを表示する表示パネルと、
前記表示パネルにＵＶを照射するＵＶ照射部と、
を備えるが、
前記ホルダーに載置された爪のＵＶ反応成分入りマニキュアが前記表示パネルを透過して伝達されるＵＶに反応してネールパターンを形成することを特徴とするネールアート装置。
【請求項２】
外部のユーザ機器と通信する通信部をさらに備え、
前記制御部は、前記ユーザ機器から前記通信部を介してユーザの選択に伴うパターン情報を受信した後に、受信されたパターン情報に対応する制御信号を出力して前記表示パネルに選択パターンを表示することを特徴とする請求項１に記載のネールアート装置。
【請求項３】
前記ホルダーは、
前記表示パネルと向かい合う個所にＵＶ反応成分入りマニキュアを爪に塗布した指が載置されるように凹設されることを特徴とする請求項１に記載のネールアート装置。
【請求項４】
前記表示パネルに形成された選択パターンによるＵＶ透過率の差を用いて爪に塗布されたＵＶ反応成分入りマニキュアの上に陰影差を与えてネールパターンを形成することを特徴とする請求項１に記載のネールアート装置。
【請求項５】
前記表示パネルは、液晶表示パネルであることを特徴とする請求項１に記載のネールアート装置。
【請求項６】
制御部と、ホルダーと、前記制御部の制御下で所定の選択パターンを表示する表示パネルと、前記表示パネルにＵＶを照射するＵＶ照射部と、を備えるネールアート装置と、
ユーザが複数のパターンのうちのいずれか一つを選択するように照会機能及び選択機能を提供し、前記ネールアート装置と接続してユーザの選択に伴うパターン情報を送信するユーザ機器と、
を備えるが、
前記ネールアート装置は、前記ユーザ機器からパターン情報を受信して受信されたパターン情報に対応する選択パターンを前記表示パネルに表示することにより、前記ホルダーに載置された爪のＵＶ反応成分入りマニキュアが前記表示パネルを透過して伝達されるＵＶに反応してネールパターンを形成するように構成されることを特徴とするネールアートシステム。
【請求項７】
前記ユーザ機器は、
複数のパターンの照会、選択及び送信機能のためのユーザインタフェースを提供するアプリケーションが搭載されているスマートフォン、スマートテレビ、パソコンのうちのいずれか一種であることを特徴とする請求項６に記載のネールアートシステム。
【請求項８】
前記ユーザ機器は、
画面の少なくとも一部を前記ネールアート装置に配設された前記表示パネルの画面と同期化させてユーザにより照会または選択されたパターンを前記表示パネルの上に一緒に表示することを特徴とする請求項６に記載のネールアートシステム。
【請求項９】
表示パネル及びホルダーを備える装置を用いたネールアート方法において、
前記装置が通信接続を設定して外部のユーザ機器と接続するステップと、
前記装置が前記ユーザ機器からユーザの選択に伴うパターン情報を受信するステップと、
前記装置が受信されたパターン情報に対応して前記表示パネルの上に選択パターンを表示し、前記表示パネルにＵＶを照射することにより、前記ホルダーにＵＶ反応成分入りマニキュアを爪に塗布した指が載置される場合、ＵＶ反応成分入りマニキュアが前記表示パネルを透過して伝達されるＵＶに反応してネールパターンを形成するステップと、
を含むネールアート方法。
【発明の詳細な説明】
【技術分野】
【０００１】
本発明は、ネールアート装置、システム及び方法に係り、特に、紫外線（ＵＶ：Ｕｌｔｒａｖｉｏｌｅｔ）を用いたネールアート装置、システム及び方法に関する。
【背景技術】
【０００２】
爪は人体の一部であるため、紙などの通常の印刷媒体とは異なり、比較的に小さく、表面が平らではなく、しかも、印刷し難いという物性を有する。
【０００３】
この理由から、印刷工程を用いてネールアート作業を行って、ユーザが希望する繊細で且つきれいな模様を刻むには難点がある。
【０００４】
また、インキを使用する印刷工程の特性からみて、手作業によるネールアートに用いられるマニキュアを適用することが困難であるため、マニキュアを用いたネールアートの質感、発色や表現力などを再現するのに限界がある。
【０００５】
一方、関連する先行技術としては、下記の特許文献１に記載のものがある。
【先行技術文献】
【特許文献】
【０００６】
【特許文献１】韓国登録特許第１０−１０３０３９０号公報
【発明の概要】
【発明が解決しようとする課題】
【０００７】
本発明は、上述した従来の技術の問題点を解消するために案出されたものであり、印刷方式が有する限界を改善して繊細で且つきれいなネールパターンを刻むことのできるネールアート装置、システム及び方法を提供するところにその目的がある。
【０００８】
また、本発明は、マニキュアを用いることにより、マニキュアの質感、発色や表現力などを最大限にそのまま活かすことのできるネールアート装置、システム及び方法を提供するところにその目的がある。
【０００９】
本発明が解決しようとする技術的課題は、上述した技術的課題に何ら制限されるものではなく、未言及の他の技術的課題は、下記の記載から本発明が属する技術分野において通常の知識を有する者に明確に理解できる筈である。
【課題を解決するための手段】
【００１０】
本発明に係るネールアート装置は、制御部と、ホルダーと、前記制御部の制御下で所定の選択パターンを表示する表示パネルと、前記表示パネルにＵＶを照射するＵＶ照射部と、を備える。ここで、前記ホルダーに載置された爪のＵＶ反応成分入りマニキュアが前記表示パネルを透過して伝達されるＵＶに反応してネールパターンを形成する。
【００１１】
好ましくは、本発明に係るネールアート装置は、外部のユーザ機器と通信する通信部をさらに備え、このとき、前記制御部は、前記ユーザ機器から前記通信部を介してユーザの選択に伴うパターン情報を受信した後に、受信されたパターン情報に対応する制御信号を出力して前記表示パネルに選択パターンを表示する。
【００１２】
また、好ましくは、本発明に係るネールアート装置において、前記ホルダーは、前記表示パネルと向かい合う個所にＵＶ反応成分入りマニキュアを爪に塗布した指が載置されるように凹設される。
【００１３】
さらに、好ましくは、本発明に係るネールアート装置において、前記表示パネルに形成された選択パターンによるＵＶ透過率の差を用いて爪に塗布されたＵＶ反応成分入りマニキュアの上に陰影差を与えてネールパターンを形成する。
【００１４】
さらに、好ましくは、本発明に係るネールアート装置において、前記表示パネルは、液晶表示パネルである。
【００１５】
さらに、好ましくは、本発明に係るネールアートシステムは、制御部と、ホルダーと、前記制御部の制御下で所定の選択パターンを表示する表示パネルと、前記表示パネルにＵＶを照射するＵＶ照射部と、を備えるネールアート装置と、ユーザが複数のパターンのうちのいずれか一つを選択するように照会機能及び選択機能を提供し、前記ネールアート装置と接続してユーザの選択に伴うパターン情報を送信するユーザ機器と、を備える。ここで、前記ネールアート装置は、前記ユーザ機器からパターン情報を受信して受信されたパターン情報に対応する選択パターンを前記表示パネルに表示することにより、前記ホルダーに載置された爪のＵＶ反応成分入りマニキュアが前記表示パネルを透過して伝達されるＵＶに反応してネールパターンを形成するように構成される。
【００１６】
好ましくは、本発明に係るネールアートシステムにおいて、前記ユーザ機器は、複数のパターンの照会、選択及び送信機能のためのユーザインタフェースを提供するアプリケーションが搭載されているスマートフォン、スマートテレビ、パソコンのうちのいずれか一種である。
【００１７】
また、好ましくは、本発明に係るネールアートシステムにおいて、前記ユーザ機器は、画面の少なくとも一部を前記ネールアート装置に配設された前記表示パネルの画面と同期化させてユーザにより照会または選択されたパターンを前記表示パネルの上に一緒に表示する。
【００１８】
一方、本発明に係るネールアート方法は、表示パネル及びホルダーを備える装置を用いたネールアート方法において、前記装置が通信接続を設定して外部のユーザ機器と接続するステップと、前記装置が前記ユーザ機器からユーザの選択に伴うパターン情報を受信するステップと、前記装置が受信されたパターン情報に対応して前記表示パネルの上に選択パターンを表示し、前記表示パネルにＵＶを照射することにより、前記ホルダーにＵＶ反応成分入りマニキュアを爪に塗布した指が載置される場合、ＵＶ反応成分入りマニキュアが前記表示パネルを透過して伝達されるＵＶに反応してネールパターンを形成するステップと、を含む。
【発明の効果】
【００１９】
本発明によれば、ＵＶを用いることにより、印刷方式が有する限界を改善して繊細で且つきれいなネールパターンを刻むことができる。
【００２０】
また、本発明によれば、マニキュアを用いることにより、マニキュアの質感、発色や表現力などを最大限にそのまま活かすことができる。
【００２１】
さらに、本発明によれば、誰でも手軽に自分が希望するネールパターンを選んで自動的にネールアート作業を行うことができ、ネールアートにかかる費用や時間を省くことができる。
【００２２】
要すれば、本発明によれば、印刷方式が有する限界を改善して繊細で且つきれいなネールパターンを刻むことができ、誰でも手軽に自動的にネールアート作業を行ってネールアートにかかる費用や時間を省くことができる。
【図面の簡単な説明】
【００２３】
【図１】本発明の一実施形態に係るネールアート装置の構成図である。
【図２】本発明の一実施形態に係るネールアート装置の機能別のブロック図である。
【図３】本発明の一実施形態に係るネールアートシステムの構成図である。
【図４】本発明の一実施形態に係るネールアート方法のフローチャートである。
【発明を実施するための形態】
【００２４】
以下、添付図面に基づき、本発明の好適な実施形態に係るネールアート装置、システム及び方法について詳細に説明する。
【００２５】
図１は、本発明の一実施形態に係るネールアート装置の構成図であり、図２は、本発明の一実施形態に係るネールアート装置の機能別のブロック図である。
【００２６】
本発明の一実施形態に係るネールアート装置１００は、図１に示すように、ネールアート作業のためにユーザが指を載置するホルダー１１０と、ネールアート作業のためのパターンを画面に表示する表示パネル１２０と、表示パネル１２０に紫外線を照射するための ＵＶ照射部１３０と、を備える。
【００２７】
また、ネールアート装置１００は、図２に示すように、各構成要素を制御するための制御部１４０と、外部とのデータの送受信のための通信部１５０と、電源の供給のためのバッテリ１６０及び充電部１７０を備える。
【００２８】
本発明の一実施形態において、ホルダー１１０は、図１に示すように、記表示パネル１２０と向かい合う個所にＵＶ反応成分入りマニキュアを爪に塗布した指が載置されるように凹設される。
【００２９】
表示パネル１２０は、人間の爪に対応するサイズに形成されたホルダー１１０と向かい合うように設けられて、制御部１４０の制御下で特定の選択パターンを表示するように動作する。
【００３０】
本発明の一実施形態において、ユーザは、自分が所持しているユーザ機器（スマートフォン、テレビなど）にネールアート作業のためのアプリケーションをインストールし、当該アプリケーションを用いて自分が希望するパターンを選択してネールアート装置１００に送信する。
【００３１】
制御部１４０は、ユーザ機器から通信部１５０を介してユーザの選択に伴うパターン情報を受信した後、受信されたパターン情報に対応する制御信号（例えば、当該パターンの画素データに基づくデータ電圧や駆動パルスなど）を出力して表示パネル１２０に選択パターンを表示する。
【００３２】
ユーザは、所持しているユーザ機器のアプリケーションを用いて様々なネールパターンを閲覧した後、自分が希望する特定のパターンを選択してそのパターン情報をネールアート装置１００に送信する。
【００３３】
通信部１５０は、通信接続を設定して外部ユーザ機器と通信することにより、ユーザが選択したパターンを受信するためのものである。このような通信部１５０は、例えば、汎用シリアルバス（ＵＳＢ：Ｕｎｉｖｅｒｓａｌ Ｓｅｒｉａｌ Ｂｕｓ）端子、イヤフォン端子などの通信ポートや、ワイファイ（Ｗｉｆｉ）、ブルートゥース、近接場型の無線通信（ＮＦＣ：Ｎｅａｒ Ｆｉｅｌｄ Ｃｏｍｍｕｎｉｃａｔｉｏｎ）などの近距離無線通信モジュールを備える。
【００３４】
ユーザ機器のアプリケーションを用いて所望のネールパターンを選択した後、ユーザは、ネールアート作業を行うために爪にＵＶ反応成分入りマニキュアを塗布した指をホルダー１１０に載置して、マニキュアが塗布された自分の爪が表示パネル１２０と向かい合う個所に載置されるようにする。
【００３５】
上述したように、制御部１４０は、通信部１５０を介してユーザ機器と通信してユーザの選択に伴うパターン情報を受信し、これによる制御信号を生成して表示パネル１２０に出力することにより、表示パネル１２０にユーザが選択したパターンが表示されるようにする。
【００３６】
加えて、制御部１４０は、ＵＶ照射部１３０を駆動して表示パネル１２０に向かってＵＶが照射されるようにする。
【００３７】
本発明の一実施形態において、ＵＶ照射部１３０は、紫外発光ダイオード（ＵＶ ＬＥＤ：Ｕｌｔｒａｖｉｏｌｅｔ Ｌｉｇｈｔ Ｅｍｉｔｔｉｎｇ Ｄｉｏｄｅ）であり、表示パネル１２０の上部に配設される。
【００３８】
このとき、ＵＶを透過させる表示パネル１２０及びユーザの爪に塗布されたＵＶ反応成分入りマニキュアは、向かい合う近い個所に置かれる。
【００３９】
ＵＶ照射部１３０から照射されたＵＶは、選択パターンを表示中の表示パネル１２０を透過してホルダー１１０に載置された爪まで達する。これにより、ホルダー１１０に載置された爪のＵＶ反応成分入りマニキュアは、表示パネル１２０を透過して伝達されるＵＶに反応してネールパターンを形成する。
【００４０】
本発明の一実施形態において、爪のＵＶ反応成分入りマニキュアは、ＵＶにより硬化されるゲルマニキュアであり、この場合、ＵＶにより硬化されるゲルマニキュアの性質を用いて爪のネールパターンを形成することができる。
【００４１】
表示パネル１２０の上部に配設されたＵＶ照射部１３０から出射されたＵＶは、表示パネル１２０に形成された選択パターンに応じて遮断または透過される。表示パネル１２０の画面における選択パターンの描画部分と選択パターンの未描画部分との間にはＵＶ透過率の差が発生するので、ＵＶ透過率の差を用いて、ゲルマニキュアの硬化速度差及びそれに伴うマニキュアの陰影差を用いて爪にネールパターンを被覆することができる。
【００４２】
すなわち、表示パネル１２０に形成された選択パターンによるＵＶ透過率の差を用いて爪に塗布されたＵＶ反応成分入りマニキュアの上に陰影差を与えてネールパターンを形成する。
【００４３】
本発明の一実施形態において、表示パネル１２０として液晶表示パネルを採用すれば、表示中の選択パターンに伴うＵＶ透過率の差を効果的に反映することができる。
【００４４】
マニキュアに含有されるＵＶ反応成分としては、通常のＵＶ硬化剤類に含有される様々なＵＶ反応成分物質が使用可能である。
【００４５】
その種類としては、エポキシアクリレート系、ポリエステルアクリレート系、ウレタンアクリレート系、ポリブタジエンアクリレート系、シリコンアクリレート系、アルキルアクリレート系などが挙げられる。
【００４６】
例えば、ＵＶにより光重合反応が行われる樹脂を用いる場合、ＵＶが照射されると、ＵＶにより光重合反応が開始されて樹脂の主成分である単量体（モノマー）及び中間体（オリゴマー）が瞬時に重合体（ポリマー）を形成しながら硬化される。樹脂の主成分である単量体及び中間体は分子量が低いため液体であるのに対し、硬化された重合体は分子量が高いため固体状態（すなわち、硬い状態）となる。
【００４７】
本発明において、マニキュアに使用可能なＵＶ反応成分物質が上述した例示に限定されることはなく、ＵＶにより硬化可能な物質であれば、種類を問わずに使用可能である。なお、ＵＶによる光重合反応に加えて、他の反応により硬化可能な物質を用いても構わない。
【００４８】
図３は、本発明の一実施形態に係るネールアートシステムの構成図である。
【００４９】
ユーザ３００は、自分が所持しているユーザ機器２００を用いてネールアート装置１００に接続して所望のネールアート用パターンを選択する。ネールアート装置１００は、上述したように、制御部１４０と、ホルダー１１０と、制御部１４０の制御下で所定の選択パターンを表示する表示パネル１２０と、表示パネル１２０にＵＶを照射するＵＶ照射部１３０と、を備える。
【００５０】
ユーザ機器２００にインストールされたアプリケーションは、ユーザ３００が複数のネールアート用パターンのうちのいずれか一つを選択するように照会機能及び選択機能を提供し、ネールアート装置１００と接続してユーザの選択に伴うパターン情報を送信する。
【００５１】
ユーザ３００がユーザ機器２００のアプリケーションを用いてネールアート用パターンを照会した後に、それらのうちのいずれか一つのパターンを選択すれば、そのパターン情報がネールアート装置１００に送信されて、ネールアート装置１００の表示パネル１２０の上にユーザ機器２００から受信されたパターン情報に対応する選択パターンが表示される。
【００５２】
本発明の一実施形態において、ユーザ機器２００は、複数のパターンの照会、選択及び送信機能のためのユーザインタフェースを提供するアプリケーションが搭載されているものであり、スマートフォン、スマートテレビ、パソコンなどがこのようなユーザ機器２００として使用可能である。
【００５３】
さらに、ユーザ機器２００は、画面の少なくとも一部をネールアート装置１００に配設された表示パネル１２０の画面と同期化させてユーザ機器２００の上においてユーザ３００により照会または選択されるパターンを表示パネル１２０の上に一緒に表示する方式を用いて、ユーザの使い勝手の向上を図る。
【００５４】
図４は、本発明の一実施形態に係るネールアート方法のフローチャートである。
【００５５】
まず、ユーザ３００は、自分が所持しているユーザ機器２００においてネールアート作業のためのアプリケーションを起動する（ステップＳ１１０）。また、ユーザ機器２００は、ネールアート装置１００との通信接続を自動または手動で設定してネールアート装置１００と接続する（ステップＳ１２０）。
【００５６】
次いで、ユーザ３００は、ユーザ機器２００のアプリケーションを用いて複数のネールアート用パターンを照会した後に、それらのうちから自分が希望する特定のパターンを選択し（ステップＳ１３０）、そのパターン情報がネールアート装置１００に送信されるようにする（ステップＳ１４０）。
【００５７】
ステップＳ１４０において、ユーザ機器２００からユーザの選択に伴うパターン情報を受信したネールアート装置１００は、受信されたパターン情報に基づいて、配設された表示パネル１２０の上にユーザが選択したパターンを表示する（ステップＳ１５０）。なお、ネールアート装置１００は、ＵＶ照射部１３０を駆動して表示パネル１２０にＵＶを照射する（ステップＳ１５０）。
【００５８】
このとき、ユーザは、爪にＵＶ反応成分入りマニキュアを塗布した指をネールアート装置１００のホルダー１１０に載置して、ネールアート作業を行う爪が表示パネル１２０と向かい合う個所に置かれるようにする（ステップＳ１６０）。
【００５９】
ネールアート装置１００のホルダー１１０にＵＶ反応成分入りマニキュアを爪に塗布した指が載置される場合、ホルダー１１０に載置された指は選択パターンを表示中の表示パネル１２０の下部に置かれる。これにより、爪のＵＶ反応成分入りマニキュアが表示パネル１２０を透過して伝達されるＵＶに反応して透過率に伴う陰影差を有するように硬化されながらネールパターンを形成する（ステップＳ１７０）。
【００６０】
本発明に係るＵＶを用いたネールアート装置、システム及び方法の構成は上述した実施形態に何ら制限されるものではなく、本発明の技術思想が許容する範囲内において種々に変形して実施することができる。
【産業上の利用可能性】
【００６１】
印刷方式が有する限界を改善して繊細で且つきれいなネールパターンを刻むことのできるネールアート装置、システム及び方法が提供される。また、本発明は、マニキュアを用いることにより、マニキュアの質感、発色や表現力などを最大限にそのまま活かすことのできるネールアート装置、システム及び方法が提供される。
【符号の説明】
【００６２】
１１０：ホルダー
１２０：表示パネル
１３０：ＵＶ照射部
１４０：制御部
１５０：通信部
１６０：バッテリ
１７０：充電部
【図１】
2015521078.tif 000003
【図２】
2015521078.tif 000004
【図３】
2015521078.tif 000005
【図４】
2015521078.tif 000006
【国際調査報告】
2015521078.tif 000007
2015521078.tif 000008
2015521078.tif 000009
2015521078.tif 000010